(57)【要約】【課題】不意な気温低下による凍結に対処でき、浴槽７内の残湯の有無を考慮した凍結防止ができる給湯装置１を提供する。【解決手段】給湯装置１は、浴槽７に接続されて浴槽水を風呂ポンプ５３で循環する循環回路８と、浴槽７に給湯する給湯回路４４と、浴槽７の残湯の有無を検出する残湯検出ステップＳ０３１〜Ｓ０３７と、浴槽７内の水を排水する排水栓１２の開閉を行う駆動装置１３と、凍結の可能性に係る温度を検出する凍結温度検出サーミスタ５２とを備える。制御装置２８は、凍結温度検出サーミスタ５２が所定の温度以下になった場合に、残湯検出ステップＳ０３１〜Ｓ０３７が残湯を検出していなければ、排水栓１２を駆動装置１３で閉じさせて、所定量の水を浴槽７に注水し、風呂ポンプ５３を駆動して循環回路８に浴槽７内の水を所定時間循環する凍結防止運転を実施する凍結防止ステップＳ００４を有する【選択図】図３
2014095518.tif 000002
【特許請求の範囲】
【請求項１】
浴槽（７）に接続して浴槽水を風呂ポンプ（５３）で循環する循環回路（８）と、
前記浴槽（７）に給湯して湯張りする給湯回路（４４）と、
前記浴槽（７）の残湯の有無を検出する残湯検出手段（Ｓ０３１〜Ｓ０３７）と、
前記浴槽（７）内の水を排水する排水栓（１２）の開閉を行う駆動装置（１３）を有する排水手段（１２、１３）と、
前記給湯回路（４４）または前記循環回路（８）の凍結の可能性に係る温度を検出する凍結温度検出手段（５２）と、
前記排水手段（１２、１３）の前記駆動装置（１３）を制御する制御手段（２８）と、を備え、
前記制御手段（２８）は、前記凍結温度検出手段（５２）が所定の温度以下になった場合に前記残湯検出手段（Ｓ０３１〜Ｓ０３７）が残湯を検出していなければ、前記排水手段（１２、１３）の前記排水栓（１２）を閉じて、所定量の水を前記浴槽（７）に注水し、前記風呂ポンプ（５３）を駆動して前記循環回路（８）に前記浴槽（７）内の水を所定時間循環する凍結防止運転を実施する凍結防止手段（Ｓ００４、Ｓ０４９）を有することを特徴とする給湯装置。
【請求項２】
前記循環回路（８）内に設置され前記浴槽（７）から前記循環回路（８）を流れる水流の有無を検出する水流検出手段（５１）を備え、
前記残湯検出手段（Ｓ０３１〜Ｓ０３７）は、前記循環回路（８）の前記風呂ポンプ（５３）を駆動して前記水流検出手段（５１）により、前記浴槽（７）内の残湯の有無を検出することを特徴とする請求項１に記載の給湯装置。
【請求項３】
前記循環回路（８）の一部は、前記浴槽水を前記風呂ポンプ（５３）で循環させて加熱する追焚回路（５５）の一部を兼ねることを特徴とする請求項１または２に記載の給湯装置。
【請求項４】
前記風呂ポンプ（５３）を流れる前記循環回路（８）を前記追焚回路（５５）に切替える三方弁（７８）を備え、
前記三方弁（７８）の作動により前記浴槽（７）内に注水される水の回路を前記追焚回路（５５）から前記循環回路（８）に切り替えて、前記凍結防止運転を実施することを特徴とする請求項３に記載の給湯装置。
【請求項５】
前記制御手段（２８）は、前記浴槽（７）への湯張り動作、前記浴槽（７）内の水の追焚動作および前記浴槽（７）への足し湯動作のいずれかから成る風呂関連動作が実施されていないことを条件として、この条件が満たされた場合に、前記凍結防止運転を実施することを特徴とする請求項１ないし４のいずれか一項に記載の給湯装置。
【請求項６】
前記循環回路（８）は、前記循環回路（８）内に設置され前記循環回路（８）内の水流の温度である風呂循環温度を検出する風呂循環温度検出手段（５２）を備え,
検出された前記風呂循環温度に応じて、前記風呂ポンプ（５３）を駆動している時間である駆動時間から次の駆動時間までの間の前記風呂ポンプ（５３）を駆動せずに待機している時間である待機時間の長さを変えることを特徴とする請求項１ないし５のいずれか一項に記載の給湯装置。
【請求項７】
前記浴槽（７）周辺の外気温度を検出する外気温度検出手段（２９）を備え、
検出された前記外気温度に応じて、前記風呂ポンプ（５３）を駆動している時間である駆動時間から次の駆動時間までの間の前記風呂ポンプ（５３）を駆動せずに待機している時間である待機時間の長さを変えることを特徴とする請求項１ないし５のいずれか一項に記載の給湯装置。
【請求項８】
前記浴槽（７）内の底から予め決められた高さに設置され、前記循環回路（８）を前記浴槽（７）に接続する浴槽アダプタ（１１）を備え、
前記凍結温度検出手段（５２）が所定の温度以下になったときに、前記浴槽アダプタ（１１）が水没するまでの水位である浴槽アダプタ水位までの水が前記浴槽内に無い場合において、前記制御手段（２８）は、前記駆動装置（１３）を介して前記排水栓（１２）を閉じて、前記浴槽アダプタ水位まで水を前記浴槽（７）内に注水し、前記凍結防止運転を実施することを特徴とする請求項１ないし７のいずれか一項に記載の給湯装置。
【請求項９】
前記凍結防止運転における前記所定量の水は、過去の前記浴槽（７）への前記湯張りによって学習した水量の水から成ることを特徴とする請求項１ないし８のいずれか一項に記載の給湯装置。
【請求項１０】
過去の前記湯張りによって学習した前記水量は、前記浴槽アダプタ（１１）が水没する水量を、前記湯張り時に学習した水量からなることを特徴とする請求項８に記載の給湯装置。
【請求項１１】
前記循環回路（８）に接続される貯湯タンク（２３）を備え、
前記貯湯タンク（２３）は、安価な深夜の電力料金のもとで運転される給湯機（３）によって深夜に湯を貯え、
前記循環回路（８）は、前記凍結防止運転において、前記貯湯タンク（２３）内の湯が混合された前記所定量の水を前記浴槽（７）に注水することを特徴とする請求項１ないし１０のいずれか一項に記載の給湯装置。
【請求項１２】
前記制御手段（２８）の前記凍結防止手段（Ｓ００４、Ｓ０４９）は、前記条件が満たされ、前記凍結温度検出手段（５２）が前記所定の温度以下になった場合に自動制御による凍結防止運転を常時実施することを特徴とする請求項５に記載の給湯装置。
【請求項１３】
前記凍結温度検出手段（２９、５２）は、外気温度を検出する外気温度検出手段（２９）または前記循環回路（８）内の水流の温度である前記風呂循環温度を検出する風呂循環温度検出手段（５２）から成り、
前記外気温度検出手段（２９）が検出した前記外気温度および前記風呂循環温度検出手段（５２）が検出した前記風呂循環温度の何れか一方または両方の温度が、実験データによって予め決められた所定の温度以下になったときにおいて、前記制御手段（２８）は、前記凍結防止手段（Ｓ００４、Ｓ０４９）による前記凍結防止運転を実施することを特徴とする請求項１ないし１２のいずれか一項に記載の給湯装置。
【発明の詳細な説明】
【技術分野】
【０００１】
本発明は、風呂配管の凍結防止のために、浴槽の湯水を風呂配管に循環する手段、および、浴槽の湯水を排水する排水手段を活用する凍結防止機能を備えた給湯装置に関する。
【背景技術】
【０００２】
本件出願人が実施してきた従来の構成においては、冬期における風呂配管の凍結防止のために、ユーザが入浴後に浴槽に湯を残しておき、浴槽の湯を循環させる風呂循環温度が予め決められた所定値以下になると凍結防止運転のために湯を循環させ凍結防止運転を行っていた。
【０００３】
また、浴槽に残湯が無いと、風呂ポンプを空回しするだけの残湯なし時凍結防止運転を行った。そして、翌日の湯張りの前に、残しておいた湯をユーザが手動で排水栓を動かして排水して風呂自動スイッチを押して湯張りしていた。この構成では、浴槽に湯を残しておらず、急に気温が低下した場合に凍結してしまう可能性がある。さらに、入浴後の汚れた湯を浴槽に長時間残しておくと浴槽が汚れるという問題と、何度も浴槽に行き来するため煩わしいという問題がある。
【０００４】
一方、特許文献１の従来技術では、浴槽の側壁に取り付けられた浴槽アダプタを介して浴槽へのお湯張りを行う給湯装置であって、この給湯装置は、リモコンに凍結防止スイッチを備えるとともに、給湯装置が設置されている雰囲気の温度を検出する外気温度検出手段または給湯装置へ供給される水の温度を検出する入水温度検出手段を備え、凍結防止スイッチの操作により、外気温度検出手段または入水温度検出手段の検出値が予め決められた所定値以下となったとき、予め決められた所定の流量の水を、浴槽アダプタより浴槽へ供給する凍結防止手段を備えている。
【０００５】
具体的には、凍結防止スイッチをオン操作すると（オンになっているときはバーナは燃焼しない）外気温度等が所定値以下になったとき排水栓を閉めて浴槽に所定流量の水を供給する。そして外気温度等が所定値を超えたときに水供給を停止する。入浴の際には必要量の追加の湯張りを行い追焚する。外気温度等が所定値以下になったことが続くと浴槽に所定流量の水を供給されることが繰り返される。
【先行技術文献】
【特許文献】
【０００６】
【特許文献１】特開昭２００４−１８３９９３号公報
【発明の概要】
【発明が解決しようとする課題】
【０００７】
上記特許文献１の技術によると、排水栓を手動で開け閉めする手間が無く、凍結防止が可能となるが、残湯があっても凍結防止用の水が所定量次々に際限なく注水されてしまう。よって気温が低いと水を流す頻度が増えるので翌日の湯張り時に水が多くて困ることになる。
【０００８】
本発明は、このような従来の技術に存在する問題点に着目して成されたものであり、その目的は、不意な気温低下による凍結に対処でき、浴槽内の残湯の有無を考慮した凍結防止ができる給湯装置を提供することにある。
【０００９】
従来技術として列挙された特許文献の記載内容は、この明細書に記載された技術的要素の説明として、参照によって導入ないし援用することができる。
【課題を解決するための手段】
【００１０】
本発明は上記目的を達成するために、下記の技術的手段を採用する。すなわち、本願に記載の発明では、浴槽（７）に接続して浴槽水を風呂ポンプ（５３）で循環する循環回路（８）と、浴槽（７）に給湯して湯張りする給湯回路（４４）と、浴槽（７）の残湯の有無を検出する残湯検出手段（Ｓ０３１〜Ｓ０３７）と、浴槽（７）内の水を排水する排水栓（１２）の開閉を行う駆動装置（１３）を有する排水手段（１２、１３）と、給湯回路（４４）または循環回路（８）の凍結の可能性に係る温度を検出する凍結温度検出手段（５２）と、排水手段（１２、１３）の駆動装置（１３）を制御する制御手段（２８）と、を備え、制御手段（２８）は、凍結温度検出手段（５２）が所定の温度以下になった場合に残湯検出手段（Ｓ０３１〜Ｓ０３７）が残湯を検出していなければ、排水手段（１２、１３）の排水栓（１２）を閉じて、所定量の水を浴槽（７）に注水し、風呂ポンプ（５３）を駆動して循環回路（８）に浴槽（７）内の水を所定時間循環する凍結防止運転を実施する凍結防止手段（Ｓ００４、Ｓ０４９）を有することを特徴としている。
【００１１】
この発明によれば、制御手段が排水手段と連携して浴槽の排水栓の開閉を実施することができるため、浴槽に湯を残しておらず、急に気温が低下した場合でも、排水栓を閉じて湯を浴槽に入れて凍結防止運転を実施できる。また、ユーザは入浴後に浴槽に湯を残しておく必要がなく、入浴後は浴槽の湯をすぐに捨てることができるし、洗濯に使うこともできるため、残り湯で浴槽が汚れることを防止できる。更に、翌日の湯張りの前に、浴槽の湯を抜いて浴槽の湯がなくなるのを待って排水栓を閉じて、湯張りを開始するという作業を省くことができ、ユーザの利便性が向上する。
【００１２】
本願に記載の発明では、循環回路（８）内に設置され浴槽（７）から循環回路（８）を流れる水流の有無を検出する水流検出手段（５１）を備え、残湯検出手段（Ｓ０３１〜Ｓ０３７）は、循環回路（８）の風呂ポンプ（５３）を駆動して水流検出手段（５１）により、浴槽（７）内の残湯の有無を検出することを特徴としている。
【００１３】
この発明によれば、循環回路の風呂ポンプと水流検出手段とにより、容易に浴槽内の残湯の有無を検出することができる。
【００１４】
本願に記載の発明では、風呂ポンプ（５３）を流れる循環回路（８）を追焚回路（５５）に切替える三方弁（７８）を備え、三方弁（７８）の作動により浴槽（７）内に注水される水の回路を追焚回路（５５）から循環回路（８）に切り替えて、凍結防止運転を実施することを特徴としている。
【００１５】
この発明によれば、三方弁の作動により追焚回路から循環回路に切り替えて、凍結防止運転を実施することができるから、追焚用の熱交換器に循環する水が流れないようにすることができるため、凍結防止運転における水の循環経路が短くなり、また、追焚の熱エネルギを利用せず省エネルギにもなる。
【００１６】
本願に記載の発明では、制御手段（２８）は、浴槽（７）への湯張り動作、浴槽（７）内の水の追焚動作および浴槽（７）への足し湯動作のいずれかから成る風呂関連動作が実施されていないことを条件として、この条件が満たされた場合に、凍結防止運転を実施することを特徴としている。
【００１７】
この発明によれば、浴槽への湯張り動作、追焚動作および足し湯動作のいずれかから成る風呂関連動作が実施されており、明らかに凍結防止運転が不要なときの凍結防止運転を排除できる。
【００１８】
本願に記載の発明では、循環回路（８）内に設置され循環回路（８）内の水流の温度である風呂循環温度を検出する風呂循環温度検出手段（５２）を備え,検出された風呂循環温度に応じて、風呂ポンプ（５３）を駆動している時間である駆動時間から次の駆動時間までの間の風呂ポンプ（５３）を駆動せずに待機している時間である待機時間の長さを変えることを特徴としている。
【００１９】
この発明によれば、循環回路内の水流の温度である風呂循環温度に応じて、循環回路に浴槽の水を循環させる風呂ポンプの駆動時間から次の駆動時間までの待機時間の長さを変えるから、風呂ポンプの省エネルギ運転の設定が可能となる。
【００２０】
本願に記載の発明では、浴槽（７）周辺の外気温度を検出する外気温度検出手段（２９）を備え、検出された外気温度に応じて、風呂ポンプ（５３）を駆動している時間である駆動時間から次の駆動時間までの間の風呂ポンプ（５３）を駆動せずに待機している時間である待機時間の長さを変えることを特徴としている。
【００２１】
この発明によれば、外気温度に応じて、循環回路に浴槽の水を循環させる風呂ポンプの駆動時間から次の駆動時間までの間の待機時間の長さを変えるから、風呂ポンプの省エネルギ運転の設定が可能となる。
【００２２】
本願に記載の発明では、浴槽（７）内の底から予め決められた高さに設置され循環回路（８）を浴槽（７）に接続する浴槽アダプタ（１１）を備え、凍結温度検出手段（５２）が所定の温度以下になったときに、浴槽アダプタ（１１）が水没するまでの水位である浴槽アダプタ水位までの水が浴槽内に無い場合において、制御手段（２８）は、駆動装置（１３）を介して排水栓（１２）を閉じて、浴槽アダプタ水位まで水を浴槽（７）内に注水し、凍結防止運転を実施することを特徴としている。
【００２３】
この発明によれば、浴槽内の浴槽アダプタの通水孔が被るまでの水位である浴槽アダプタ水位までの水が浴槽内に無い場合において、制御手段は、排水手段を閉じて、浴槽アダプタ水位まで水を浴槽内に注水し、凍結防止手段による凍結防止運転を実施するから、浴槽内に水が無い状態で温度が低下しても、確実に所定の凍結防止運転を実施できる。
【００２４】
なお、特許請求の範囲および上記各手段に記載の括弧内の符号ないし説明は、後述する実施形態に記載の具体的手段との対応関係を分かり易く示す一例であり、発明の内容を限定するものではない。
【図面の簡単な説明】
【００２５】
【図１】本発明の第１実施形態の給湯装置の全体構成図である。
【図２】上記実施形態における貯湯タンク部の構成図である。
【図３】上記実施形態におけるメインのフローチャートである。
【図４】上記実施形態における凍結防止運転のフローチャートである。
【図５】上記実施形態における風呂ポンプの制御マップである。
【図６】上記実施形態における残湯の有無を判断する詳細フローチャートである。
【図７】本発明の第２実施形態の作動を示すメインのフローチャートである。
【図８】本発明の第３実施形態の給湯装置の全体構成図である。
【図９】上記第３実施形態における給湯機の内部構成図である。
【図１０】上記第３実施形態における貯湯タンク部の構成図である。
【図１１】上記第３実施形態における風呂ポンプの制御マップである。
【図１２】本発明の第４実施形態を示す給湯機を除く全体構成図である。
【図１３】本発明の第５実施形態を示す給湯機を除く全体構成図である。
【発明を実施するための形態】
【００２６】
以下に、図面を参照しながら本発明を実施するための複数の形態を説明する。各形態において先行する形態で説明した事項に対応する部分には同一の参照符号を付して重複する説明を省略する場合がある。各形態において構成の一部のみを説明している場合は、構成の他の部分については先行して説明した他の形態を適用することができる。
【００２７】
各実施形態で具体的に組合せが可能であることを明示している部分同士の組合せばかりではなく、特に組合せに支障が生じなければ、明示していなくても実施形態同士を部分的に組合せることも可能である。
【００２８】
（第１実施形態）
以下、本発明の第１実施形態について図１ないし図６を用いて詳細に説明する。図１において、給湯機３は、ヒートポンプから成り、貯湯タンク部２との接続部位であるヒートポンプ往き部４とヒートポンプ戻り部５となる配管部分に接続されている。
【００２９】
貯湯タンク部２からは給湯口６へ給湯配管を介してお湯が供給される。また、貯湯タンク部２から風呂場の浴槽７には、該浴槽７に接続して浴槽水を後述する風呂ポンプ５３で循環する循環回路８が接続されている。浴槽７内には浴槽内の底から予め決められた高さに設置され循環回路８を浴槽に接続する浴槽アダプタ１１が備えられている。
【００３０】
浴槽７内の水を排水する排水栓１２の開閉をワイヤ１３ａを介して行う駆動装置１３が浴槽７の側面に設けられ、排水栓１２と駆動装置１３とは排水手段を成す排水装置１２、１３を構成している。駆動装置１３は、浴室遠隔装置（浴室リモコン）１５からの信号で排水栓１２を駆動でき排水栓１２を開閉する。１６は台所遠隔装置（台所リモコン）である。
【００３１】
給湯機３と貯湯タンク部２とは屋外に設置され、これら給湯機３と貯湯タンク部２には、水道水が水道配管１７上の止水栓１８、減圧弁２０、給水用逆止弁２１、弁２２等を介して供給されている。浴室内に置かれ遠隔装置として機能する浴室リモコン１５と台所に置かれた遠隔装置と成るメインリモコン１６には、貯湯タンク部２内の後述する制御装置２８から通信線と電源線とを含む配管５９、６０を介して制御信号と電源とが供給されている。通信線と電源線が一本になった電源重畳タイプの配線もある。
【００３２】
貯湯タンク部２の全体構成を示す図２において、貯湯タンク２３は給湯機３が沸かしたお湯を貯え保温する。貯湯タンク２３の底には水道配管１７から水道水が供給され、ヒートポンプ戻り部５から逆止弁２６と外熱交換器２５の一次側と追焚ポンプ２７を介して貯湯タンク２３にお湯が循環するようになっている。
【００３３】
貯湯タンク２３内には７個の缶体サーミスタ２４が配置され貯湯タンク２３内各部の湯の温度を計測している。貯湯タンク２３近傍には制御手段を成す制御装置２８（貯湯ＥＣＵ）が配置され、缶体サーミスタ２４等の信号が供給されている。２９は外気温度（Ｔａｍ）を検出するサーミスタから成る外気温度センサである。貯湯タンク２３の上部には逃し弁３１が接続されている。３２はヒートポンプ三方弁、３３は中温水混合弁、３４は中温水サーミスタ、３５は追焚サーミスタ、３６は追焚１次サーミスタ、３７は給湯混合弁、３８は給湯カウンタ、４１は給湯サーミスタ、４２は風呂混合弁、４３は湯張り電磁弁、４５は風呂カウンタである。４６、４７は逆止弁である。
【００３４】
４８は循環回路８に接続された水位センサ、５１は水流検出手段を成すフローセンサ（フロースイッチ）、５２は風呂循環温度検出手段を成す風呂循環サーミスタであり、凍結温度検出手段（凍結温度検出サーミスタ）を兼ねている。５３は風呂ポンプである。循環回路８は外熱交換器２５の二次側を介して浴槽７内の残湯が循環し追焚が可能となっている。従って、循環回路８の一部は、浴槽７内の水を風呂ポンプ５３で循環させて加熱する追焚回路５５の一部を兼ねる。
【００３５】
浴槽７に給湯するときは、貯湯タンク２３→中温水混合弁３３→風呂混合弁４２→電磁弁４３→風呂カウンタ４５→外熱交換器２５の二次側→浴槽アダプタ１１と経由して湯が流れる。なお、給湯回路４４は、貯湯タンク２３→中温水混合弁３３→風呂混合弁４２→電磁弁４３→風呂カウンタ４５に至るまでの回路、追焚回路５５および循環回路８を含んでいる。
【００３６】
浴槽７内に残湯が有れば、風呂ポンプ５３を回転させたときに循環回路８を流れる水の流れをフローセンサ５１が検出することで残湯の有無を確認できる。よって、風呂ポンプ５３とフローセンサ５１とは残湯検出手段を構成する部品と成る。
【００３７】
風呂循環サーミスタ５２は、循環回路８を流れる水の温度を測定し循環回路８の凍結の可能性に係る温度を検出する凍結温度検出手段５２となる。制御装置２８（貯湯ＥＣＵ）は、排水手段１２、１３の駆動装置１３を制御する。制御装置２８は、凍結温度検出手段５２が所定の温度以下になった場合に残湯検出手段の部品５１、５３が残湯を検出していなければ、排水手段１２、１３の排水栓１２を閉じて、所定量の水を浴槽７に注水し、風呂ポンプ５３を駆動して循環回路８に浴槽７の水を所定時間循環する凍結防止運転を実施する。
【００３８】
循環回路８内に設置され浴槽７から循環回路８を流れる水流の有無を検出するフローセンサ５１は、水流検出手段５１を構成する。上述したように、制御装置２８は、循環回路８の風呂ポンプ５３を駆動して水流検出手段５１により浴槽７内の残湯の有無を検出する。
【００３９】
循環回路８は、循環回路８内の水流の温度である風呂循環温度を検出する風呂循環温度検出手段５２を成す風呂循環サーミスタ５２を備える。検出された風呂循環温度に応じて、風呂ポンプ５３を駆動している時間である駆動時間の長さと、風呂ポンプ５３を駆動せずに待機している時間である待機時間の長さとを設定する。
【００４０】
上述したように、浴槽７内の底から予め決められた高さに設置され、循環回路８を浴槽７に接続する浴槽アダプタ１１を備えている。凍結の可能性に係る温度を検出する凍結温度検出手段５２が所定の温度以下になったときに、浴槽アダプタ１１が水没するまでの水位である浴槽アダプタ水位までの水が浴槽７内に無い場合において、制御装置２８は、排水栓１２を閉じて、浴槽アダプタ水位まで水を浴槽７内に注水してから、凍結防止運転を実施する。
【００４１】
循環回路８は、貯湯タンク２３に給湯回路５５の一部を介して接続されている。貯湯タンク２３は、安価な深夜の電力料金で給湯機３が稼働することにより深夜に湯を貯える。制御装置２８は、凍結防止運転において、必要に応じて循環回路８を介して貯湯タンク２３内の湯が混合された所定量の湯を浴槽７内に注水することができる。この場合、循環回路８に接続される貯湯タンク２３は、安価な深夜の電力料金で運転される給湯機３によって深夜に湯を貯え、循環回路８は、凍結防止運転において、貯湯タンク２３内の湯が混合された所定量の湯を浴槽７に注湯する（必須ではない）。これによれば、凍結が発生する可能性の高いのが深夜であり、この時の凍結防止運転に安価な深夜の電力料金で貯えた湯を使用できるから、電力料金の低減に役立つと共に循環する水の温度が上昇しているから凍結防止効果が高くなる。
【００４２】
制御装置２８に操作信号を供給し制御装置２８の制御状態を表示する図１の遠隔装置１５、１６のうち、浴室遠隔装置（浴室リモコン）１５から排水栓１２の開閉を行う駆動装置１３に通信信号と電源の両方を配線５６で供給している。これによれば、駆動装置１３への通信信号と電源を遠隔装置１５から供給するから、浴槽７近辺の余計な配線を減らすことができる。また、駆動装置１５と制御装置２８との間を長い配線で連結する必要がなくなるため、ノイズ耐性の向上と施工性の向上を図ることができる。更に、制御装置２８が遠隔装置１５を介して駆動装置１３とセパレートされるため駆動装置１３が直接制御装置２８にノイズ等の悪影響を与えることがない。５９は、制御装置２８と浴室遠隔装置１５間の配線であり、通信線と電源線とを含んでいる。６０は、制御装置２８と台所遠隔装置１６間の配線であり、通信線と電源線とを含んでいる。
【００４３】
（第１実施形態の作動）
この第１実施形態は、凍結防止スイッチをオンにしたときだけ実施する制御ではなく、不意な気温低下による凍結で機器を破損させないようにするために、風呂関連動作中以外は、常時実施する自動制御を実行する。そして、水温が所定値以下の場合は、浴槽７の残湯状態を確認した後、残湯が無い場合にのみ浴槽７に凍結防止用の水を注水する。また、浴槽７に注水する水の量は、その家々の浴槽サイズや浴槽アダプタ位置に応じて変わる浴槽アダプタ１１が水没する水量を湯張り時に学習した水量である。そして、最初に最低限の水を浴槽７に注水しておけば、その後は水を注水しなくてもよい。
【００４４】
以下具体的に制御装置２８内で実行されるフローチャートに基づいて説明する。図３において、メインフローが開始されると、ステップＳ００１において、給湯装置１の制御状態が風呂関連動作中か否かが判定される。風呂関連動作中の場合とは、浴槽７への湯張り動作、浴槽７内の残湯の温度を高くする追焚動作および浴槽７への残湯量を多くする足し湯動作のいずれかから成る。このような風呂関連動作中でなければＹＥＳと判定されてステップＳ００２に進み、風呂関連動作中であれば、凍結防止運転の必要が無いのでＮＯと判定され元に戻る。
【００４５】
ステップＳ００２では、外気温度センサ２９（図２）で検出した外気温度が予め決められた所定値α℃以下であるか、または、風呂循環サーミスタ５２が検出した風呂循環温度が予め決められた所定値β℃以下であるかを判定する。外気温度が予め決められた所定値α℃以下であるか、または、風呂循環温度が予め決められた所定値β℃以下である場合は、ステップＳ００３で浴槽７内に残湯が有るか否かを判定する。残湯が有るか否かの詳細フローチャートは後述する。
【００４６】
浴槽７内に残湯が有るときは、凍結防止手段を成すステップＳ００４で凍結防止運転を行う。ステップＳ００３で残湯が無ければ、ステップＳ００５で駆動装置１３により排水栓１２を自動的に閉じる。次に、ステップＳ００６で過去の学習値から割り出したアダプタ位置水量を注湯設定量とする。アダプタ位置水量とは、浴槽アダプタ１１が水没するまでの水位である浴槽アダプタ水位まで注水した後の浴槽７内の水の量である。
【００４７】
上記過去の学習値は、過去の湯張りによって学習した水量であり、凍結防止運転において過去の湯張りによって学習した所定量を注湯設定量として設定している。ステップＳ００７では、湯張り電磁弁４３を開く。これによって、風呂混合弁４２→湯張り電磁弁４３→風呂カウンタ４５→浴槽アダプタ１１と経由して浴槽７内に所定量の注湯が行われる。
【００４８】
ステップＳ００８において、風呂カウンタ４５がカウントした注湯積算量が前述の注湯設定量以上かを判定する。注湯積算量が注湯設定量になるまで注湯を続けた後、ステップＳ００９で湯張り電磁弁４３を閉じ、元に戻る。
【００４９】
（凍結防止運転）
次に、図４に基づいて、図３のステップＳ００４における凍結防止運転の詳細について説明する。凍結防止運転が開始されると、ステップＳ０２１において、制御装置２８内のメモリに格納された図５の制御マップから風呂ポンプＯＮ時間を算出する。風呂ポンプ５３は凍結防止運転中においてポンプ回転状態（風呂ポンプＯＮ）と風呂ポンプ停止状態（風呂ポンプＯＦＦ）とを繰り返す。
【００５０】
図５に示すように、風呂ポンプ５３のＯＮ時間とＯＦＦ時間とは、風呂循環サーミスタ５２が検出する温度が低温から高温に成るにつれて風呂ポンプ５３のＯＦＦ時間が長くなるように予め決定されている。風呂ポンプ５３のＯＮ時間は風呂循環サーミスタ５２が検出する温度に係らず一定である。
【００５１】
図４のステップＳ０２１でポンプＯＮ時間が演算されると、ステップＳ０２２で風呂ポンプ５３をＯＮする。次に、ステップＳ０２３でポンプＯＮ時間が経過したかを判定し、経過したならばステップＳ０２４で風呂ポンプＯＦＦ時間を図５から演算する。次に、ステップＳ０２５において、風呂循環サーミスタ５２が検出した風呂循環温度が予め決められた所定値β℃より低いかを判定する。風呂循環温度が予め決められた所定値β℃より低い場合は、ステップＳ０２６で風呂ポンプＯＮを継続する。
【００５２】
次に、ステップＳ０２７において、外気温度センサ２９が検出した外気温度が予め決められた所定値α℃より高く、かつ、風呂循環サーミスタ５２が検出した風呂循環温度が予め決められた所定値γ℃より高いかを判定する。外気温度および風呂循環温度の両方が上記各温度より高い場合は凍結防止運転を終了する。
【００５３】
ステップＳ０２５において、風呂循環温度が予め決められた所定値β℃より小さくない場合は、ステップＳ０２８で風呂ポンプ５３の回転を停止する。次に、ステップＳ０２９において、風呂ポンプ５３の回転を停止してから、ステップＳ０２４で算出していた風呂ポンプＯＦＦ時間が経過したかを判定する。風呂ポンプＯＦＦ時間が経過した場合は、ステップＳ０２７に進む。ステップＳ０２７で、外気温度および風呂循環温度の両方が夫々の所定温度より高くない場合はステップＳ０２１に戻る。ここでα＜β＜γである。
【００５４】
従来、自動凍結防止機能の無い給湯装置では、冬期には風呂配管の凍結防止のために、ユーザは自分の意思で入浴後に浴槽に湯を残しておき、翌日の湯張りの前に残しておいた湯を排水して、湯張りしていた。この方法だと、浴槽に湯を残しておらず、急に気温が低下した場合に凍結してしまう問題がある。さらに、入浴後の汚れた湯を浴槽に長時間残しておくと雑菌が繁殖して浴槽が汚れるという問題と、何度も浴槽に行き来するため煩わしいという問題がある。
【００５５】
上記第１実施形態によると、制御装置２３が排水手段１２、１３と連携して、浴槽７の排水栓１２の開閉を実施することができるため、浴槽７に湯を残しておらず、急に気温が低下した場合でも、排水栓１２を閉じて湯を浴槽７に注湯してから、凍結防止運転が実施される。また、ユーザは入浴後に浴槽７に湯を残しておく必要がなく、入浴後は浴槽７の湯をすぐに捨てることができるし、洗濯に使うこともできるため、残り湯で浴槽が汚れることを防止できる。さらに、翌日の湯張りの前に、浴槽７の湯を抜いて浴槽７の湯がなくなるのを待って排水栓を閉じて湯張りを開始するという作業を省くことができ、ユーザの利便性が向上する。かつ、貯湯タンク２の湯を無駄にすることなく凍結防止を実施することで省エネ性が向上する。
【００５６】
次に、図３のステップＳ００３における残湯の有無を判断する詳細なフローチャートについて図６を用いて説明する。図６において、ステップＳ０３１で風呂ポンプ５３がＯＮ状態となり回転する。ステップＳ０３２において、浴槽７内に残湯が有り、風呂ポンプ５３を回転させたときに、循環回路８を流れる水の流れをフローセンサ５１で確認してＯＮしたか否かを判定する。
【００５７】
フローセンサ５１が水の流れを検出してＯＮした場合に、ステップＳ０３３でフローセンサ５１がＯＮした状態が予め決められた所定値δ秒経過すれば、ステップＳ０３４で残湯ありのフラグを立ててステップＳ０３５で風呂ポンプ５３をＯＦＦする。ステップＳ０３２でフローセンサ５１がＯＮしなかった場合には、ステップＳ０３６で、この状態が予め決められた所定値γ秒経過したことを確認してステップＳ０３７で残湯なしと判定しフラグをおろす。なお、風呂ポンプ５３をＯＮした後、何らかの原因で予め決められた所定値δ秒以上経由しても残湯ありにならない場合は、残湯なしと判断する。以上のステップＳ０３１〜Ｓ０３７は、残湯検出手段を構成する。ここでδはγより大きい（δ＞γ）。
【００５８】
また、上記第１実施形態においては、循環回路８の一部は、浴槽水を風呂ポンプ５３で循環させて加熱する追焚回路５５の一部を兼ねる。従って、既存の追焚回路５５を利用して、凍結防止運転を行う循環回路８を構成できる。更に、凍結防止運転における所定量の水は、過去の浴槽７への湯張りによって学習した水量の水から成る。これによれば、残湯検出手段Ｓ０３１〜Ｓ０３７が残湯を検出していなければ、排水手段１２、１３の排水栓１２を閉じて、過去の湯張りによって学習した水量の水を浴槽７に注水した後に、風呂ポンプ５３を駆動して循環回路８に浴槽７の水を所定時間循環する凍結防止運転を実施することができるから、凍結防止運転時の注水量を適切な量にすることができる。
【００５９】
なお、過去の湯張りによって学習した水量は、浴槽アダプタ１１が水没する水量を、湯張り時に学習した水量からなる。従って、浴槽アダプタ１１が水没する水量を湯張り時に学習して、凍結防止運転時の注水量を適切な量にすることができる。
【００６０】
また、循環回路８に接続される貯湯タンク２３を備え、貯湯タンク２３は、安価な深夜の電力料金で運転される給湯機３によって深夜に湯を貯え、循環回路８は、凍結防止運転において、貯湯タンク２３内の湯が混合された所定量の水を浴槽７に注水しても良い（必須ではない）。これによれば、凍結が発生する可能性の高いのが深夜であり、この時の凍結防止運転にときに安価な深夜の電力料金で貯えた湯を使用できるから、電力料金の低減に役立つと共に循環回路を循環する水の温度が上がるため、極低温時においても凍結防止効果が高い。
【００６１】
更に、制御装置２８の凍結防止手段Ｓ００４は、所定条件以外は、凍結温度検出手段５２が所定の温度以下になった場合に自動制御による凍結防止運転を常時実施する。従って、凍結防止スイッチを手動でオンにしたときだけ実施する凍結防止運転ではなく、不意な気温低下による凍結で機器を破損させることが無い。このように、明らかに凍結の虞がない風呂関連動作が実施されている場合以外は、常時実施する自動制御による凍結防止運転を実行することができるため、凍結防止が確実に実行される。
【００６２】
（第２実施形態）
次に、本発明の第２実施形態について説明する。なお、以降の各実施形態においては、上述した第１実施形態と同一の構成要素には同一の符号を付して説明を省略し、異なる構成および特徴について説明する。図７において、メインフローが開始されると、ステップＳ０４１で、給湯装置１の制御状態において、風呂関連動作に係る風呂自動運転が終了したか（風呂関連動作中でないか）が判定される。風呂関連動作中の場合とは、浴槽７への湯張り動作、浴槽７内の残湯の温度を高くする追焚動作および浴槽７内の残湯量を多くする足し湯動作のいずれかから成る。このような風呂関連動作中でなければＹＥＳと判定されてステップＳ０４２に進み、風呂関連動作中での風呂自動運転中と判断されれば、凍結防止運転の必要が無いのでＮＯと判定され元に戻る。
【００６３】
ステップＳ０４２では、風呂自動スイッチが押下げられたかを判断する。風呂自動スイッチは遠隔装置１５、１６内に設けられたスイッチである。このスイッチが押下げられた場合は、ステップＳ０４３に進み、排水栓１２の開閉を行う駆動装置１３が排水栓１２を開状態にする。
【００６４】
次に、ステップＳ０４４にて、湯張り電磁弁４３（図２）を開いて浴槽７の底の垢や毛髪を注水で洗い流す。そして、ステップＳ０４５で排水栓１２を駆動装置１３で閉じる。その上で、ステップＳ０４６にて風呂自動運転を開始する。
【００６５】
ステップＳ０４２において、風呂自動スイッチが押下げられていなければ、ステップＳ０４７で風呂循環サーミスタ５２が検出した風呂循環温度が予め決められた所定値β℃以下であるかを判定する。風呂循環温度が予め決められた所定値β℃以下である場合は、ステップＳ０４８で浴槽７内に残湯が有るか否かを判定する。このステップＳ０４８の詳細は、第１実施形態の図６と同じである。
【００６６】
浴槽７内に残湯が有るときは、ステップＳ０４９で凍結防止運転を行う。ステップＳ０４８で残湯が無ければ、ステップＳ０５１で、駆動装置１３により排水栓１２を自動的に閉じる。次に、第１実施形態と同様に、ステップＳ０５２でアダプタ位置水量を注湯設定量とする。そして湯張り電磁弁４３を開き、浴槽７内に所定量の注湯が行われる。なお、第２実施形態の凍結防止運転は第１実施形態と同様である。
【００６７】
（第３実施形態）
次に、本発明の第３実施形態について説明する。上述した実施形態と異なる特徴部分を説明する。図８において、第１実施形態と同一の符号を付した部分は第１実施形態と同一または均等部分である。ヒートポンプとして作動する給湯機３の内部構成は第１実施形態および第２実施形態でも同じであるが、図９で詳しく説明する。図９において、給湯タンク部２のヒートポンプ往き部４に接続された給水ポンプ６１によって給水サーミスタ６２、湯加熱熱交換器６３、湯上げサーミスタ６５、ヒートポンプ戻り部５と経由して湯を循環させる。湯加熱熱交換器６３の一次側は冷媒出口サーミスタ６６、圧力センサ６７、膨張弁６８、エバポレータ入口サーミスタ７１、冷媒加熱熱交換器７２、アキュムレータ７３、圧縮機７４、吐出サーミスタ７５のように冷媒が循環する。ファンモータ７６はファン７７を駆動して冷媒加熱熱交換器７２に送風する。２９は外気温度（Ｔａｍ）を検出するサーミスタから成る外気温度センサである。
【００６８】
図１０において、貯湯タンク２３は給湯機３が沸かしたお湯を貯え保温する。貯湯タンク２３の底には水道配管１７から水道水が供給され、ヒートポンプ戻り部５からヒートポンプ三方弁３２を介して貯湯タンク２３の上部に沸かされた湯が注入される。
【００６９】
貯湯タンク２３内には７個の缶体サーミスタ２４が配置され、貯湯タンク２３内各部の湯の温度を計測している。貯湯タンク２３近傍には、制御手段を成す制御装置２８（貯湯ＥＣＵ）が配置され、缶体サーミスタ２４等の信号が供給されている。３３は中温水混合弁、３４は中温水サーミスタ、３５は追焚サーミスタ、３７は給湯混合弁、３８は給湯カウンタ、４１は給湯サーミスタ、４２は風呂混合弁、４３は湯張り電磁弁、４５は風呂カウンタである。
【００７０】
４８は循環回路８に接続された水位センサ、５１は水流検出手段を成すフローセンサ（フロースイッチ）、５２は風呂循環サーミスタ、５３は風呂ポンプである。循環回路８は、風呂保温三方弁７８を介して浴槽７内の残湯が追焚き用の熱交換器である貯湯タンク内熱交換器（内熱交換器）８１に循環し追焚が可能となっている。従って、循環回路８の一部は、浴槽７内の水を風呂ポンプ５３で循環させて加熱する追焚回路５５の一部を兼ねる。また、風呂ポンプ５３を流れる循環回路８を追焚回路５５に切替える役割を風呂保温三方弁７８（単に三方弁７８とも言う）が果たしている。
【００７１】
浴槽７に給湯するときは、貯湯タンク２３→中温水混合弁３３→風呂混合弁４２→湯張り電磁弁４３→風呂カウンタ４５→水流検出手段を成すフローセンサ５１→浴槽アダプタ１１と湯が流れる。なお、給湯回路４４は、貯湯タンク２３→中温水混合弁３３→風呂混合弁４２→湯張り電磁弁４３→風呂カウンタ４５を通る回路、追焚回路５５および循環回路８を含んでいる。
【００７２】
浴槽７内に残湯が有れば、風呂ポンプ５３を回転させたときに循環回路８を流れる水の流れをフローセンサ５１が検出することで残湯の有無を確認できる。よって、風呂ポンプ５３とフローセンサ５１とは残湯検出手段の一部を構成する部品と成る。
【００７３】
風呂循環サーミスタ５２は循環回路８を流れる水の温度を検出し給湯回路８の凍結の可能性に係る温度を検出する凍結温度検出手段となる。制御装置２８（貯湯ＥＣＵ）は、図８の排水手段１２、１３の駆動装置１３を制御する。制御装置２８は、凍結温度検出手段５２が所定の温度以下になった場合に残湯検出手段の部品５１、５３が残湯を検出していなければ、排水手段１２、１３の排水栓１２を閉じて、所定量の水を浴槽７に注水し、風呂ポンプ５３を駆動して循環回路８に浴槽７の水を所定時間循環する凍結防止運転を実施する。
【００７４】
図９の外気温度（Ｔａｍ）を検出するサーミスタから成る外気温度センサ２９の信号は、図１０の制御装置２８に入力される。この外気温度に応じて、風呂ポンプ５３を駆動している時間である駆動時間の長さと、風呂ポンプ５３を駆動せずに待機している時間である待機時間の長さとを図１１に示す制御マップに基づいて変える。
【００７５】
以上述べたように第３実施形態においては、追焚用の熱交換器８１が、貯湯タンク内熱交換器（内熱交換器）８１として貯湯タンク２３内に収納されている。また、浴槽７周辺の外気温度を検出する外気温度検出手段２９を備え、検出された外気温度に応じて、風呂ポンプ５３を駆動している時間である駆動時間（風呂ポンプＯＮ時間）の長さと、風呂ポンプ５３を駆動せずに待機している時間である待機時間の長さとを図１１の制御マップに基づいて設定している。これによれば、外気温度に応じて、循環回路８に浴槽７の水を循環させる風呂ポンプ５３の駆動時間の長さ（風呂ポンプＯＮ時間）と、駆動時間から次の駆動時間までの待機時間の長さ（風呂ポンプＯＦＦ時間）とを設定しているから、外気温度が高いほど風呂ポンプ５３の待機時間（風呂ポンプＯＦＦ時間）を長くして、風呂ポンプ５３の省エネルギ運転の設定が可能となる。
【００７６】
また、風呂ポンプ５３を流れる循環回路８を追焚回路５５に切替える風呂保温三方弁７８を備え、この風呂保温三方弁７８の作動により、浴槽７内に注水される水の回路を追焚回路５５から循環回路８に切り替えてから凍結防止手段Ｓ００４による凍結防止運転を実施している。
【００７７】
これによれば、風呂保温三方弁７８の作動により追焚回路５５から循環回路８に切り替えて、凍結防止運転を実施することができるから、凍結防止運転における水の循環経路が短くなり、かつ追焚の熱エネルギを利用せず省エネルギにもなる。
【００７８】
（第４実施形態）
次に、本発明の第４実施形態について説明する。上述した実施形態と異なる特徴部分を説明する。図１２において、第１実施形態と異なるのは、浴槽７内の水を排水する排水栓１２の開閉を行う駆動装置１３が制御装置２８から配線５６ａを介して電源線と通信線の供給を受けている点である。
【００７９】
この第４実施形態においては、排水栓１２の開閉を行う駆動装置１３は、制御装置２８との通信手段を備え、制御装置２８により駆動装置１３を介して排水栓１２の開閉が操作される。これによれば、制御装置２８により駆動装置１３を直接制御することができるため、制御装置２８内の情報を活用して駆動装置１３に直接的に制御信号を供給できる。
【００８０】
また、制御装置２８から駆動装置１３に通信信号と電源の両方を供給する配線５６ａを有し、駆動装置１３への通信信号と電源とを制御装置２８から供給するから、浴槽７近辺の余計な配線を減らすことができる。
【００８１】
（第５実施形態）
次に、本発明の第５実施形態について説明する。上述した実施形態と異なる特徴部分を説明する。図１３において、第１実施形態と異なるのは、浴槽７内の水を排水する排水栓１２の開閉を行う駆動装置１３が制御装置２８から配線５６ｂを介して通信線の供給を受け、電源線５６ｃは浴室内または浴室近辺の防水コンセントから駆動装置１３に供給されている点である。
【００８２】
この第５実施形態においては、排水栓１２の開閉を行う駆動装置１３は、制御装置２８との間に通信線となる配線５６ｂを備え、制御装置２８により駆動装置１３を介して排水栓１２の開閉が操作される。これによれば、制御装置２８により駆動装置１３を直接制御することができるため、制御装置２８内の情報を活用して駆動装置１３に直接的に制御信号を供給できる。
【００８３】
（他の実施形態）
上述の実施形態では、本発明の好ましい実施形態について説明したが、本発明は上述した実施形態に何ら制限されることなく、本発明の主旨を逸脱しない範囲において種々変形して実施することが可能である。上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味および範囲内での全ての変更を含むものである。
【００８４】
上記実施形態では、浴槽への湯張り動作、追焚動作および足し湯動作のいずれかから成る風呂関連動作が実施されていないことを第１条件として凍結防止運転を実施した。この場合、制御装置の凍結防止手段は、上記第１条件以外は、凍結温度検出手段が所定の温度以下になったという条件のみで自動制御による凍結防止運転を常時実施している。しかし、自動凍結防止選択操作手段を成す凍結防止運転許可スイッチを設けて、このスイッチが凍結防止運転を許可する方に操作されていることを第２条件として、第１条件と第２条件とが共に満たされたときに、凍結防止運転を行うようにしても良い。
【００８５】
第１実施形態においては、給湯回路の凍結の可能性に係る温度を検出する凍結温度検出手段は、外気の温度を検出する外気温度検出手段または循環回路内の水流の温度である風呂循環温度を検出する風呂循環温度検出手段から成り、図３のステップＳ００２において、外気温度および風呂循環温度の何れか一方の温度が、それぞれ実験データによって予め決められた所定の温度以下になったときにおいて、制御装置は、凍結防止運転を実施している。すなわち、給湯回路５５または循環回路８の凍結の可能性に係る温度を検出する凍結温度検出手段２９、５２は、外気温度を検出する外気温度検出手段２９または循環回路８内の水流の温度である風呂循環温度を検出する風呂循環温度検出手段５２から成り、外気温度検出手段２９が検出した外気温度および風呂循環温度検出手段５２が検出した風呂循環温度の何れか一方の温度が、実験データによって予め決められた所定の温度以下になったときにおいて、制御装置２８は、凍結防止手段Ｓ００４による凍結防止運転を実施する。従って、外気温度および風呂循環温度の何れか一方の温度を活用して、自動的に凍結防止運転を実施することができる。
【００８６】
しかし、外気の温度および風呂循環温度の両方の温度が、実験データによって予め決められたそれぞれの所定の温度以下になったときにおいて、制御装置２８が凍結防止運転を実施するようにしてもよい。すなわち、外気温度検出手段２９が検出した外気温度および風呂循環温度検出手段５２が検出した風呂循環温度の両方の温度が、実験データによって予め決められた所定の温度以下になったときにおいて、制御装置２８が、凍結防止手段Ｓ００４による凍結防止運転を実施するようにしても良い。これによれば、外気温度および風呂循環温度の両方の温度を活用して、確実に凍結防止運転が必要な場合のみに、自動的に凍結防止運転を実施することができる。
【符号の説明】
【００８７】
８  循環回路
２９  外気温度検出手段
４４  給湯回路
５１  水流検出手段
５２  凍結温度検出手段（風呂循環温度検出手段）
５３  風呂ポンプ
５５  追焚回路
７８  三方弁（風呂保温三方弁）
Ｓ００４、Ｓ０４９  凍結防止手段
Ｓ０３１〜Ｓ０３７  残湯検出手段
【図１】
2014095518.tif 000003
【図２】
2014095518.tif 000004
【図３】
2014095518.tif 000005
【図４】
2014095518.tif 000006
【図５】
2014095518.tif 000007
【図６】
2014095518.tif 000008
【図７】
2014095518.tif 000009
【図８】
2014095518.tif 000010
【図９】
2014095518.tif 000011
【図１０】
2014095518.tif 000012
【図１１】
2014095518.tif 000013
【図１２】
2014095518.tif 000014
【図１３】
2014095518.tif 000015